(57)【要約】【課題】チェーンの疲労強さ及び引っ張り強さが優れており、チェーン稼動時における騒音及びチェーンの屈曲不良を抑制するとともに、耐摩耗性に優れた伝動用多列チェーンを提供すること。【解決手段】左右一対の離間した内プレート１１１、１１１に前後一対のブシュ１１２、１１２を圧入嵌合して組み付けた内リンクユニット１１０が左右一対の近接した中間プレート１２０、１２０を介してチェーン幅方向に並列配置されているとともに、内リンクユニット１２０がチェーン幅方向の最も外側に配置された外プレート１３０に圧入嵌合する連結ピン１４０でチェーン長手方向に多数連結され、左右一対の中間プレート１２０、１２０の間に配置されたスプリングワッシャ１５０が連結ピン１４０に遊嵌されている伝動用多列チェーン１００。【選択図】図１
2007309489.tif 000002
【特許請求の範囲】
【請求項１】
左右一対の離間した内プレートに前後一対のブシュを圧入嵌合して組み付けた内リンクユニットが左右一対の近接した中間プレートを介してチェーン幅方向に並列配置されているとともに、前記内リンクユニットがチェーン幅方向の最も外側に配置された外プレートに圧入嵌合する連結ピンでチェーン長手方向に多数連結されている伝動用多列チェーンにおいて、
前記左右一対の中間プレートの間に配置されたスプリングワッシャが、前記連結ピンに遊嵌されていることを特徴とする伝動用多列チェーン。
【請求項２】
前記スプリングワッシャが、前記中間プレートのプレート面内に投影されるワッシャ外形を備えていることを特徴とする請求項１記載の伝動用多列チェーン。
【請求項３】
前記スプリングワッシャが、波形ワッシャであることを特徴とする請求項１または請求項２記載の伝動用多列チェーン。
【発明の詳細な説明】
【技術分野】
【０００１】
本発明は、大きな動力を伝達するためのチェーンであって、特に、左右一対の内プレートに前後一対のブシュを圧入嵌合してなる内リンクユニットがチェーン幅方向に左右一対の中間プレートを介して並列配置されている伝動用多列チェーンに関するものである。
【背景技術】
【０００２】
一般に、動力伝達負荷の大きな伝動機構には、複数のチェーンをチェーン幅方向に並列配置して連結ピンで一体化した伝動用チェーンが用いられている。
そして、このような従来の高強度化した伝動用チェーンとして、左右一対の離間した内プレートに前後一対のブシュを圧入嵌合して組み付けた内リンクユニットが左右一対の隣接した中間プレートを介してチェーン幅方向に並列配置されているとともに、前記内リンクユニットがチェーン幅方向の最も外側に配置された外プレートに圧入嵌合する連結ピンでチェーン長手方向に多数連結されている伝動用多列チェーンを称するローラチェーンが知られている（例えば、特許文献１を参照。）。
【特許文献１】特開平１１−１３２２９５号公報（第４欄、図１１参照）
【発明の開示】
【発明が解決しようとする課題】
【０００３】
ところが、前述したような伝動用多列チェーンでは、中間プレートのピン穴に対して連結ピンを遊嵌、所謂、スキマ嵌めして組み付けてチェーンの分解組み付け作業を容易にしているが、このような中間プレートと連結ピンとのスキマ嵌めを採用していることによって、チェーン稼動時に中間プレート及び内リンクユニットがチェーン幅方向の片寄り現象を生じる虞れがあり、その結果、チェーン長手方向の引っ張りに対するチェーン幅方向の荷重バランスが悪くなり、チェーンの疲労強さ及び引張り強さが低下するという問題があった。
【０００４】
そして、このような中間プレート及び内リンクユニットのチェーン幅方向の片寄りを防止するために、外プレート間のプレート間隔を若干縮めて各プレート間で許容されたクリアランスを縮小すると、内プレート、中間プレート、外プレートの反り、プレート厚み、ブシュ寸法などのバラツキに起因して伝動用多列チェーン自体の屈曲不良、屈曲騒音を誘発するとともに、クリアランスが縮小された各プレート間への給油障害が生じてチェーン摩耗を抑制することが困難になるという問題があった。
【０００５】
そこで、本発明は、従来技術の問題を解決するものであって、すなわち、本発明の目的は、チェーンの疲労強さ及び引っ張り強さが優れており、チェーン稼動時における騒音及びチェーンの屈曲不良を抑制するとともに、耐摩耗性に優れた伝動用多列チェーンを提供することである。
【課題を解決するための手段】
【０００６】
まず、請求項１に係る本発明は、左右一対の離間した内プレートに前後一対のブシュを圧入嵌合して組み付けた内リンクユニットが左右一対の近接した中間プレートを介してチェーン幅方向に並列配置されているとともに、前記内リンクユニットがチェーン幅方向の最も外側に配置された外プレートに圧入嵌合する連結ピンでチェーン長手方向に多数連結されている伝動用多列チェーンにおいて、前記左右一対の中間プレートの間に配置されたスプリングワッシャが、前記連結ピンに遊嵌されていることにより、前述した課題を解決したものである。
【０００７】
そして、請求項２に係る本発明の伝動用多列チェーンは、請求項１に記載された発明の構成に加えて、前記スプリングワッシャが、前記中間プレートのプレート面内に投影されるワッシャ外形を備えていることにより、前述した課題を解決したものである。
【０００８】
また、請求項３に係る本発明の伝動用多列チェーンは、請求項１または請求項２に記載された発明の構成に加えて、前記スプリングワッシャが波形ワッシャであることにより、前述した課題を解決したものである。
【発明の効果】
【０００９】
請求項１に係る本発明によれば、左右一対の離間した内プレートに前後一対のブシュを圧入嵌合して組み付けた内リンクユニットが左右一対の近接した中間プレートを介してチェーン幅方向に並列配置されているとともに、前記内リンクユニットがチェーン幅方向の最も外側に配置された外プレートに圧入嵌合する連結ピンでチェーン長手方向に多数連結されている伝動用多列チェーンにおいて、左右一対の中間プレートの間に配置されたスプリングワッシャが連結ピンに遊嵌されていることにより、左右一対の中間プレートの間に配置されたスプリングワッシャが左右一対の外プレートに向けて左右均等に付勢力を発揮するため、チェーン稼動時に内プレート、中間プレートなどに生じがちなガタツキを阻止するばかりでなく、中間プレート及び内リンクユニットに生じがちなチェーン幅方向の位置ズレ、すなわち、片寄り現象を防止して、チェーン長手方向の引っ張りに対するチェーン幅方向の荷重バランスが向上し、その結果、チェーンの疲労強さ及び引張り強さを向上させることができるとともに、チェーン稼動時のスプロケットとの噛み合いにおいて伝動用多列チェーンの円滑な屈曲動作を呈して従来のような屈曲不良、屈曲騒音を抑制することができる。
【００１０】
そして、請求項２に係る本発明の伝動用多列チェーンによれば、請求項１記載の伝動用多列チェーンが奏する効果に加えて、スプリングワッシャが中間プレートのプレート面内に投影されるワッシャ外形を備えていることにより、チェーン稼動時に中間プレートのプレート面内からはみ出すことがないため、チェーンガイドなどの他部材に対するスプリングワッシャの接触を回避して円滑な動力伝達を達成することができる。
【００１１】
さらに、請求項３に係る本発明の伝動用多列チェーンによれば、請求項１または請求項２記載の伝動用多列チェーンが奏する効果に加えて、スプリングワッシャが波形ワッシャであることにより、スプリングワッシャの波形形態が弾力性に富む付勢力を発揮するため、チェーン稼動時の内プレート、中間プレートなどに発生しがちな衝撃、振動を確実に吸収して、チェーン稼動時に発生しがちな屈曲騒音を抑制するとともに内プレート、中間プレートなどの寸法精度を緩和してその製造負担を大幅に軽減することができ、また、スプリングワッシャと中間プレートとの隙間を通してブシュと連結ピンとの間に潤滑油を注入し易くなるため、伝動用多列チェーンの円滑な屈曲動作を長期に亙って実現してチェーンの耐摩耗性を大幅に向上させることができる。
【発明を実施するための最良の形態】
【００１２】
本発明は、左右一対の離間した内プレートに前後一対のブシュを圧入嵌合して組み付けた内リンクユニットが左右一対の近接した中間プレートを介してチェーン幅方向に並列配置されているとともに、前記内リンクユニットがチェーン幅方向の最も外側に配置された外プレートに圧入嵌合する連結ピンでチェーン長手方向に多数連結されている伝動用多列チェーンにおいて、左右一対の中間プレートの間に配置されたスプリングワッシャが連結ピンに遊嵌され、チェーンの疲労強さ及び引っ張り強さが優れるとともにチェーン稼動時における騒音及びチェーンの屈曲不良を抑制して耐摩耗性に優れたものであれば、その具体的な実施の態様は如何なるものであっても何ら構わない。
【００１３】
すなわち、本発明の伝動用多列チェーンは、左右一対の離間した内プレートに前後一対のブシュを圧入嵌合して組み付けた内リンクユニットが左右一対の近接した中間プレートを介してチェーン幅方向に並列配置されているとともに、前記内リンクユニットがチェーン幅方向の最も外側に配置された外プレートに圧入嵌合する連結ピンでチェーン長手方向に多数連結されているブシュチェーン、あるいは、ブシュチェーンの基本構成に加えてブシュがローラを回転自在に外嵌軸支したローラチェーンのいずれのものがその対象であっても差し支えないが、ブシュチェーンの場合には、比較的動力伝達速度が遅くチェーンに負荷される荷重が小さい動力伝達時に最適であり、ローラチェーンの場合には、スプロケットとの噛み合いが円滑となるため、チェーンの摩耗を防止するので、より好ましい。
【００１４】
そして、本発明の伝動用多列チェーンにおいてチェーン幅方向に並列配置する内リンクユニットの列数は、通常、配置レイアウト、配置スペースの都合などによって２列乃至３列であるが、それ以上であっても差し支えない。
【００１５】
本発明で用いる内プレート、外プレート、および、中間プレートの具体的な形状については、小判型、ひょうたん型のいずれであっても良く、特に、中間プレートについては、内プレートおよび外プレートと同一若しくは小さなプレート幅寸法で形成されていれば良く、中間プレートが内プレートおよび外プレートより小さなプレート幅寸法で形成されていると、両側から挟み込んでガイドするタイプのチェーンガイドに接触走行させた場合に中間プレートを非接触状態として内プレートと外プレートを接触させた安定した走行を実現でき、しかも、チェーン全体の軽量化に寄与する。
【００１６】
さらに、中間プレートが前後一対の半円弧状プレート外周を画成する仮想円弧ラインを超えてチェーン長手方向の引っ張りで生じるプレート剪断方向に膨出した円弧状膨出部を備えている場合には、この円弧状膨出部が中間プレートのチェーン長手方向の引っ張り強さや弾性率を向上させて中間プレートのプレート剪断方向への塑性変形を抑制するため、チェーン全体のチェーン強度を増大させ、また、チェーン長手方向の引っ張りに対するチェーン幅方向の荷重バランスが向上するため、大きな動力伝達負荷が発生する場合であってもチェーン耐疲労性を大幅に向上させる。
【００１７】
また、本発明で用いるスプリングワッシャの具体的な形状については、スプリングワッシャが中間プレートのプレート面内に投影されるワッシャ外形を備えた、例えば、リング状に波打った形状の波形ワッシャ、平ワッシャを皿状に中央部を凹ませた形状の皿ワッシャ、平ワッシャを二方向に湾曲させた形状のカメワッシャなどのいずれの形状であっても良く、特に、波形ワッシャを用いた場合には、その波形形態が弾力性に富む付勢力を発揮するため、チェーン稼動時の内プレート、中間プレートなどに発生しがちな衝撃、振動を確実に吸収するとともにスプリングワッシャと中間プレートとの隙間を通してブシュと連結ピンとの間に潤滑油を注入し易くなる。
【実施例】
【００１８】
以下、本発明の一実施例である伝動用多列チェーン１００を図面に基づいて説明する。
ここで、図１は、本発明の一実施例である伝動用多列チェーンの分解組み立て図であり、図２は、図１の伝動用多列チェーンの一部断面を示した平面図とその要部拡大図であり、図３は、本実施例で用いたスプリングワッシャの側面図であり、図４は、本実施例で用いたスプリングワッシャと中間プレートとの寸法比較図である。
【００１９】
まず、本発明の一実施例である伝動用多列チェーン１００は、図１乃至図２に示すように、左右一対の離間した内プレート１１１，１１１に前後一対のブシュ１１２，１１２を圧入嵌合して組み付けた２組の内リンクユニット１１０，１１０がチェーン幅方向に左右一対の近接した中間プレート１２０，１２０を介してチェーン幅方向に並列配置されているとともに、このような内リンクユニット１１０がチェーン幅方向の最も外側に配置された外プレート１３０に圧入嵌合する連結ピン１４０でチェーン長手方向に多数連結されている。
なお、上記内プレート１１１、中間プレート１２０、外プレート１３０は、いずれも小判型のプレート形状を呈している。さらに、中間プレート１２０は、内プレート１１１および外プレート１３０より小さなプレート幅寸法で形成され、図示しないが、両側から挟み込んでガイドするタイプのチェーンガイドに接触走行させた場合に、中間プレート１２０を非接触状態として内プレート１１１と外プレート１３０を接触させた安定した走行を実現でき、しかも、チェーン全体の軽量化に寄与するようになっている。
【００２０】
また、前述した内リンクユニット１１０のブシュ１１２には、ローラ１１３を外嵌して回転自在に軸支し、スプロケット（図示しない）と噛み合う際に、ローラ１１３がスプロケット歯に対して円滑に転動しながら噛み合うようになっている。
【００２１】
そして、図１及び図２に示すように、前述した左右一対の中間プレート１２０，１２０の間には、前後一対のスプリングワッシャ１５０、１５０がそれぞれ配置されて連結ピン１４０に遊嵌されている。
すなわち、このスプリングワッシャ１５０が左右一対の外プレート１３０，１３０に向けて左右均等に付勢力を発揮するため、チェーン稼動時に内プレート１１１，１１１、中間プレート１２０，１２０などに生じがちなガタツキを阻止するばかりでなく、中間プレート１２０，１２０及び内リンクユニット１１０，１１０に生じがちなチェーン幅方向の位置ズレ、所謂、片寄り現象を防止して、チェーン長手方向の引っ張りに対するチェーン幅方向の荷重バランスを向上させている。
【００２２】
そこで、本実施例の伝動用多列チェーン１００が最も特徴とするスプリングワッシャ１５０の具体的な形態について図３乃至図４により詳しく説明する。
すなわち、図３に示すように、本実施例では、スプリングワッシャ１５０として波形ワッシャを採用したことにより、スプリングワッシャ１５０の波形形態が弾力性に富む付勢力を発揮してチェーン稼動時の内プレート１１１、中間プレート１２０などに発生しがちな衝撃、振動を確実に吸収し、しかも、スプリングワッシャ１５０と各中間プレート１２０，１２０との隙間を通してブシュ１１２と連結ピン１４０との間に潤滑油を注入し易くしている。
【００２３】
さらに、図４に示すように、本実施例で用いたスプリングワッシャ１５０は、中間プレート１２０のプレート面内に投影されるワッシャ外形を備えていることにより、チェーン稼動時に中間プレート１２０のプレート面内からはみ出すことがない。
すなわち、図４における符号Ａは、仮想線で示した中間プレート１２０の幅寸法であり、符号Ｂは、スプリングワッシャ１５０の外径寸法であり、この中間プレート１２０の幅寸法Ａは、スプリングワッシャ１５０の外形寸法Ｂよりも大きくなっている。なお、図４の符号１２１は、前述した中間プレート１２０のピン穴である。
【００２４】
このようにして得られた本実施例の伝動用多列チェーン１００は、左右一対の中間プレート１２０，１２０の間に配置されたスプリングワッシャ１５０が連結ピン１４０に遊嵌されて、左右一対の外プレート１３０、１３０に向けて左右均等に付勢力を発揮するため、チェーン稼動時に内プレート１１１、中間プレート１２０などに生じがちなガタツキを阻止するとともに、中間プレート１２０及び内リンクユニット１１０に生じがちなチェーン幅方向の位置ズレ、すなわち、片寄り現象を防止して、チェーン長手方向の引っ張りに対するチェーン幅方向の荷重バランスを向上させ、その結果、チェーンの疲労強さ及び引張り強さが向上できるとともに屈曲騒音などが抑制できる。
【００２５】
また、スプリングワッシャ１５０が中間プレート１２０のプレート面内に投影されるワッシャ外形を備えていることにより、チェーン稼動時にチェーンガイドなどの他部材との接触を回避して円滑な動力伝達を実現でき、しかも、スプリングワッシャ１５０として波形ワッシャを採用したことにより、スプリングワッシャ１５０の波形形態が弾力性に富む付勢力を発揮するため、チェーン稼動時の内プレート１１１、中間プレート１２０などに発生しがちな衝撃、振動を確実に吸収してチェーン稼動時に発生しがちな屈曲騒音を抑制するとともに内プレート１１１、中間プレート１２０などの寸法精度を緩和してその製造負担を大幅に軽減でき、しかも、スプリングワッシャ１５０と各中間プレート１２０，１２０との隙間を通してブシュ１１２と連結ピン１４０との間に潤滑油を注入し易くなるため、伝動用多列チェーン１００の円滑な屈曲動作を長期に亙って実現してチェーンの耐摩耗性が大幅に向上できるなど、その効果は甚大である。
【図面の簡単な説明】
【００２６】
【図１】本発明の一実施例である伝動用多列チェーンの分解組み立て図。
【図２】図１の伝動用多列チェーンの一部断面を示した平面図とその要部拡大図。
【図３】本実施例で用いたスプリングワッシャの側面図。
【図４】本実施例で用いたスプリングワッシャと中間プレートの寸法比較図。
【符号の説明】
【００２７】
１００  ・・・  伝動用多列チェーン
１１０  ・・・  内リンクユニット
１１１  ・・・  内プレート
１１２  ・・・  ブシュ
１１３  ・・・  ローラ
１２０  ・・・  中間プレート
１２１  ・・・  ピン穴
１３０  ・・・  外プレート
１４０  ・・・  連結ピン
１５０  ・・・  スプリングワッシャ
Ａ  ・・・ 中間プレート１２０の幅寸法
Ｂ  ・・・ スプリングワッシャ１５０の外径寸法
【図１】
2007309489.tif 000003
【図２】
2007309489.tif 000004
【図３】
2007309489.tif 000005
【図４】
2007309489.tif 000006